(57)【要約】【課題】耐久性を低下させることなく、取付けと取外しが容易である踏切板を供することを目的とする。【解決手段】直方体からなる陸上競技用踏切板１の本体の前後の面に複数個ずつの溝３ａ，３ｂを設け、この溝３ａ，３ｂはいずれも同一形状であり、かつ左右対称及び前後対称に設けられる。これによれば、踏切板１の前面に設けられた溝３ａに指を掛止することができるため滑り難くなり、踏切板１の取付け及び取外しが容易となる。また踏切板本体の左右対称かつ前後対称に溝３ａ，３ｂを設けかつ溝３ａ，３ｂの形状がいずれも同一であるため、踏切りや湿気による外力が均等に分散するため耐久性への影響が低い。【選択図】図１
2008194396.tif 000002
【特許請求の範囲】
【請求項１】
陸上競技用踏切板において、直方体からなる本体の前後の面に複数個ずつの溝を設け、該溝はいずれも同一形状であり、かつ左右対称及び前後対称に設けられることを特徴とする陸上競技用踏切板。
【請求項２】
上記溝が踏切板本体の両端部に設けられることを特徴とする請求項１記載の踏切板。
【発明の詳細な説明】
【技術分野】
【０００１】
本願発明は、走幅跳及び三段跳等の陸上競技に使用する踏切板に関する。
【背景技術】
【０００２】
例えば走幅跳及び三段跳では、踏切板が砂場の助走路側に助走路及び砂場の表面と同じ高さに埋めてあり、この踏切板の砂場側の端を踏切線として計測の基準としている。
【０００３】
上記踏切板は、日本陸上競技連盟競技規則により、木または他の強固な材質でつくられた直方体のもので、長さ１．２２０ｍ、幅０．２００ｍ、厚さ０．１００ｍとされている。
【０００４】
従来の陸上競技用踏切板２１は木製であり、図３に示すように、表面をウレタン３５で舗装したトラックの下地２４（例えばコンクリート）に埋設された踏切板ボックス２５に設けられたレベル調整用モルタル３３の上に、踏切板ボックス用ジャッキ３１で固定され、このような状態で矢示する方向で競技に使用される。上記踏切板ボックス２５には、砂場側を前側、助走路側を後側とした場合、踏切板２１の前側にスパイクの痕跡等によってファールを判定するファール判定ゴム板２７が角材からなる踏切板ボックス用固定台２９の上に固定される。
【０００５】
競技終了後は踏切板ボックス２５からファール判定ゴム板２７、踏切板ボックス用固定台２９、踏切板ボックス用ジャッキ３１及び踏切板２１を取外し、蓋（図示せず）をすることで上面を走路として使用することができる。
【０００６】
このように、踏切板２１は使用の度に取付けと取外しが繰り返されるが、従来の踏切板２１は単に直方体に形成されているのみであったため滑りやすく取付け及び取外しが困難であった。
【特許文献１】特開２００３−２０５０６０号公報
【特許文献２】特開２００２−３４６０１８号公報
【０００７】
そこで、手持部として踏切板に溝を設けることが考えられるのであるが、踏切板は競技者の踏切による衝撃を受けるため高い耐久性を要求されるので、単に踏切板に溝を設けるだけでは溝を設けた部分の耐久性が低下してしまい望ましくなかった。さらにこの場合、コンクリートを通して滲み出す地中からの水分や、保管中における大気中の水蒸気による膨張等の影響も不均一に受けるため、歪みやすく亀裂が発生しやすくなってしまう。
【発明の開示】
【発明が解決しようとする課題】
【０００８】
本願発明は、上記欠点を解決し、耐久性を低下させることなく、取付けと取外しが容易である踏切板を供することを目的とする。
【課題を解決するための手段】
【０００９】
上記目的達成のため、本願発明による陸上競技用踏切板は、
直方体からなる本体の前後の面に複数個ずつの溝を設け、該溝はいずれも同一形状であり、かつ左右対称及び前後対称に設けられることを特徴とする。
また、上記溝が踏切板本体の両端部に設けられることを特徴とする。
【発明の効果】
【００１０】
このように、本願発明による踏切板によれば、踏切板の前面に設けられた溝に指を掛止することができるため滑り難くなり、踏切板の取付け及び取外しが容易となる。また踏切板本体の左右対称かつ前後対称に溝を設けかつ溝の形状がいずれも同一であるため、踏切りや湿気による外力が均等に分散するため耐久性への影響が低い。
【発明を実施するための最良の形態】
【００１１】
次に、実施の形態を示す図面に基づき本願発明による陸上競技用踏切板をさらに詳しく説明する。なお、便宜上同一の機能を奏する部分には同一の符号を付してその説明を省略する。
【００１２】
１は直方体からなる木製の踏切板であり、溝３が前面及び後面にぞれぞれ２ヶ所ずつ形成される。該溝３の形成位置は、短手（厚さ）方向については、図１（Ａ）に示すように、芯方向に寄せ、長手（長さ）方向においては、図１（Ｂ）に示すように、中央付近を避けて両端部に左右対称に形成される。前面に形成された溝３ａと後面に形成された溝３ｂとは、踏切板１を前後に分割する仮想面に対し面対称となる。
【００１３】
上記個々の溝３のサイズは前記した所定大の踏切板１に対し、例えば、各々高さ３０ｍｍ、幅１００ｍｍ、奥行き３０ｍｍであり、使用者の手が引っかかりやすくなっている。
【００１４】
上記踏切板１は図２に示すように踏切板ボックス５に設置される。該踏切板ボックス５は表面をウレタン１５で舗装したトラックの下地４に埋設され、底部にはレベル調整用モルタル１３が設けられる。上記踏切板１は該レベル調整用モルタル１３上に載置される。該踏切板１は踏切板ボックス５の前方に生ずる空間に設けられる踏切板ボックス用ジャッキ１１により踏切板ボックス５の後側に固定される。上記踏切板ボックス５の前側には上記踏切板ボックス用ジャッキ１１を覆い隠すように踏切板ボックス用固定台９が載置され、該踏切板ボックス用固定台９の上にはファール判定ゴム板７が着脱可能に載置される。上記踏切板１はこの状態で競技に使用される。なお、図２（Ｂ）において矢印は競技者の走行方向を示す。
【００１５】
踏切板１の取付けの際には、作業者は踏切板１の溝３に指を入れ支えることができるため、取付設置作業が踏切板ボックス５内にて迅速容易かつ支承状態を確認しながら安全に行なうことができる。
【００１６】
競技後の取外し作業は、まず踏切板ボックス用固定台９及びファール判定ゴム板７を取外す。すると、踏切板１の前面が露出するから、踏切板ボックス用ジャッキ１１をゆるめて取外し、その後上記踏切板１に設けられた溝３ａに手を引掛け該踏切板１を簡便かつ安全に取外すことができる。
【００１７】
溝３は前面の溝３ａ及び後面の溝３ｂがいずれも同一形状であり、かつ踏切板１に左右対称及び前後対称に設けられるから、踏切時の衝撃力や湿気による外力が均等に分散するため耐久性への影響が低い。
【００１８】
本願発明は上記した実施の形態に限定されない。例えば、溝の形状自体は任意であり、直方体に限られず、手を掛止できる形状であれば例えば半円柱状や三角柱状であってもよい。また該溝の角には丸みをもたせてもよく、この場合、角にかかっていた力が分散するため耐久性が高くなる。
【００１９】
また、溝の数、位置は任意である。溝の位置に関しては、踏切板の中央付近は競技者が踏切る割合が高く特に負荷がかかりやすいので、踏切板の中央付近を避けることが望ましい。
【００２０】
また、使用例として踏切板と踏切板ボックス用固定台とが一つの空間に収められるボックス型を例示したが、踏切板のみを収めるための踏切板用金具と踏切板ボックス用固定台及びファール判定ゴム板のみを収めるためのファール判定ゴム受金具とを別々に設けたシンダー型であっても使用可能である。この場合、踏切板の溝が踏切板用金具のフレームより上になるため該溝に手をかけて取付け、取外しが可能となる。
【産業上の利用可能性】
【００２１】
本願発明は陸上競技の走幅跳及び三段跳に活用される。
【図面の簡単な説明】
【００２２】
【図１】（Ａ）は本願発明による踏切板の実施の形態を示した正面図、（Ｂ）は（Ａ）の平面図、（Ｃ）は（Ａ）の右側面図、（Ｄ）は（Ｂ）のＤ−Ｄ断面図である。
【図２】（Ａ）は本願発明による踏切板の使用例を示す平面図、（Ｂ）は（Ａ）の縦断面図である。
【図３】は従来の踏切板の使用例を示す縦断面図である。
【符号の説明】
【００２３】
１    踏切板
３ａ  溝
３ｂ  溝
４    下地
５    踏切板ボックス
７    ファール判定ゴム板
９    踏切板ボックス用固定台
１１  踏切板ボックス用ジャッキ
１３  レベル調整用モルタル
１５  ウレタン
２１  踏切板
２４  下地
２５  踏切板ボックス
２７  ファール判定ゴム板
２９  踏切板ボックス用固定台
３１  踏切板ボックス用ジャッキ
３３  レベル調整用モルタル
３５  ウレタン
【図１】
2008194396.tif 000003
【図２】
2008194396.tif 000004
【図３】
2008194396.tif 000005